(57)【要約】【課題】  左右への傾斜と頭部起こしも可能な介護ベッドを提供する。【解決手段】  ベッドフロアをベッドフレームで支持する介護ベッドにおいて、ベッドフロアの左右方向中心で前後方向に中心軸を渡設し、中心軸と共にベッドフロアをベッドフレームで左右傾斜可能に支持するとともに、ベッドフロアを前後方向にヒンジ機構を介して分割し、一側を起昇可能にした。【選択図】  図２
2009082596.tif 000002
【特許請求の範囲】
【請求項１】
ベッドフロアをベッドフレームで支持する介護ベッドにおいて、ベッドフロアの左右方向中心で前後方向に中心軸を渡設し、中心軸と共にベッドフロアをベッドフレームで左右傾斜可能に支持するとともに、ベッドフロアを前後方向にヒンジ機構を介して分割し、一側を起昇可能にしたことを特徴とする介護ベッド。
【請求項２】
非起昇側のベッドフロアの端部から左右方向の一側に回動パイプを突設し、回動パイプに操作杆を挿入して操作杆を上下してベッドフロアを左右に傾斜させる請求項１の介護ベッド。
【請求項３】
回動パイプにロック孔を穿つとともに、ロック孔に対応する個所のベッドフレームにブラケットを設けて複数の挿入孔を形成し、ベッドフロアを所定角度左右に傾斜して挿入孔からロック孔にピンを挿入してベッドフロアを当該傾斜角度に固定する請求項１又は２の介護ベッド。
【請求項４】
ベッドフロアの起昇側のベッドフレームの端部に手動巻上機を取り付け、巻上機でベッドフロアを昇降させる請求項１〜３いずれかの介護ベッド。
【請求項５】
巻上機が索条を巻くドラムを有しており、ドラムにベッドフロアの上昇は許容し、下降は規制するラチェット機構を設けた請求項３の介護ベッド。
【発明の詳細な説明】
【技術分野】
【０００１】
本発明は、要介護者が臥寝する左にも右にも傾けることができる介護ベッドに関するものである。
【背景技術】
【０００２】
ベッドに臥寝する要介護者の寝返り等を補助するために左右に傾けられるベッドとして下記特許文献１に記載されたものがある。この先行例のものは、ベッドフロアの下面を左右方向に向けて半円体に形成してローラで受けたものであり、駆動手段によって半円体をローラ上に回転させて所定角度左右に傾けるようにしたものである。しかし、このような構造をとると、構造が複雑になるとともに、ベッドフロアの姿勢も安定しない。
【特許文献１】特開２００４−１６３８７号公報
【発明の開示】
【発明が解決しようとする課題】
【０００３】
本発明は、このような課題を解決するものであり、きわめて簡単な構造によってベッドフロアを必要なだけ左右に傾けられるようにするとともに、併せて、ベッドフロアの前後方向の一部（頭部側）を起こすことができるようにしたものである。
【課題を解決するための手段】
【０００４】
以上の課題の下、本発明は、請求項１に記載した、ベッドフロアをベッドフレームで支持する介護ベッドにおいて、ベッドフロアの左右方向中心で前後方向に中心軸を渡設し、中心軸と共にベッドフロアをベッドフレームで左右傾斜可能に支持するとともに、ベッドフロアを前後方向にヒンジ機構を介して分割し、一側を起昇可能にしたことを特徴とする介護ベッドを提供したものである。
【０００５】
そして、本発明は、以上の介護ベッドにおいて、請求項２に記載した、非起昇側のベッドフロアの端部から左右方向の一側に回動パイプを突設し、回動パイプに操作杆を挿入して操作杆を上下してベッドフロアを左右に傾斜させる手段、請求項３に記載した、回動パイプにロック孔を穿つとともに、ロック孔に対応する個所のベッドフレームにブラケットを設けて複数の挿入孔を形成し、ベッドフロアを所定角度左右に傾斜して挿入孔からロック孔にピンを挿入してベッドフロアを当該傾斜角度に固定する手段、請求項４に記載した、ベッドフロアの起昇側のベッドフレームの端部に手動巻上機を取り付け、巻上機でベッドフロアを昇降させる手段、請求項５に記載した、巻上機が索条を巻くドラムを有しており、ドラムにベッドフロアの上昇は許容し、下降は規制するラチェット機構を設けたベッドフロアの起伏側のベッドフレームに手動巻上機を取り付け、巻上機でベッドフロアを昇降させる手段を提供する。
【発明の効果】
【０００６】
請求項１の手段によると、この介護ベッドは二つに分割したベッドフロアに中心軸とヒンジ機構を取り付ける簡単な構造で左右への傾斜と頭部側の上方への起こしができるものになる。したがって、製作コストはきわめて安いものになる。請求項２の手段によると、ベッドフロアを左右に傾斜するときの力が軽くてすみ、請求項３の手段によると、左右へ傾斜させた姿勢を保持することができる。請求項４及び５の手段によると、ベッドフロアの起昇とその角度の固定が簡単である。
【発明を実施するための最良の形態】
【０００７】
以下、本発明の実施の形態を図面を参照して説明する。図１は本発明に係る介護ベッドの平面図、図２は後面図、図３は一部側面図であるが、この介護ベッドは、要介護者が臥寝するベッドフロア１と、ベッドフロア１を支持するベッドフレーム２とからなる。これにおいて、ベッドフロア１は、四角形の枠体３に左右に渡した複数個の横桟４を有するものであり、前後方向においてヒンジ機構５で二つに分割されたものである。そして、ベッドフロア１の裏面の左右方向の中央で前後方向全長に亘って中心軸６を渡設したものである。なお、ここで、左右、前後とあるが、臥寝者がベッドフロア１に横になった状態を基準とし、左側は左手側（右側は右手側）、頭部が位置するのを前部、足部が位置するのを後部とする。
【０００８】
ベッドフレーム２はベッドフロア１を収容して支持する支持体であり、前後方向の前後端に支持孔７を設け、この支持孔７に中心軸６を通して支持している。したがって、ベッドフロア１は中心軸６だけでベッドフレーム２に支持されており、かつ、ベッドフロア１の左右の端部を上下すれば中心軸６と一緒に左右に傾斜できるものとなる。この場合の中心軸６は、支持孔７に挿入される部分だけが円筒になって残りは角柱をしていてベッドフロア１を支持するのが好ましい。
【０００９】
ベッドフロア１の左右への傾斜は手で行う。具体的には、ベッドフロア１の後端の横桟４に回動パイプ８を沿設し、これを上下することでベッドフロア１を左右に傾斜させる。この場合、回動パイプ８はベッドフレーム２から一部はみ出す程度の長さにし、これに所要長さの操作杆９を挿入できるようにしてこの操作杆９を上下させて傾斜させる。この傾斜は臥寝者がベッドフロア１に寝たままの状態で行うためにかなり重い。そこで、梃子の原理を利用して傾斜を軽い力でできるようにしたものである。なお、ベッドフロア１が水平のとき、回動パイプ８はやや上方に傾斜するような関係にしておく。操作杆９を押し下げるときもあまり下方に押し込まなくてもよいようにして操作を楽にするためである。また、操作杆９を常に回動パイプ８に挿入しておくと、介護者等の邪魔になるため、必要なときだけ使用し、後は回動パイプ８から抜去しておくのが好ましい。
【００１０】
ところで、ベッドフロア１を左右に傾斜させたとき、一般的にはその角度で固定する必要がある。そこで、回動パイプ８の後面にロック孔１０を穿つとともに、このロック孔１０に対応する個所のベッドフレーム２にブラケット１１を取り付け、このブラケット１１に複数の挿入孔１２を形成しておく。これにより、ベッドフロア２を所望角度だけ傾けてロック孔１０と挿入孔１２を合致させ、外側からピン１３を挿入すれば、その角度でロックされる。この場合のピン１３はＬ字形にして操作がし易いようにしてある。なお、ベッドフロア２の左右への傾斜は、左右の端部が水平から最大で１５０ｍｍも上下すれば十分であるから、挿入孔１２はそれに応じて全部で５個程度設ける。
【００１１】
ベッドフロア１は前後方向にヒンジ機構５を介して二つに分割されているが、一側は起昇できるようになっている。この起昇側は臥寝者の頭部が位置する前部側にし、ベッドフロア１の前後方向の長さの半分かそよれりも短くしておく。本例のヒンジ機構５は蝶番５´によっているが、例えば、横桟４の一部を二重筒にした回動構造のものでもよい。ただし、蝶番５´の場合はこの上にマット（図示省略）を敷くためにあまり上方に突出させないのが適する。
【００１２】
ベッドフロア１の起昇はドラム１４に巻いたロープやワイヤ等の索条１５を昇降させる手動巻上機１６で行う。図４は手動巻上機１６を示す図３のＡ矢視図であるが、起昇側のベッドフレーム２の中央等に支持筒１７を立て、この中に上部に滑車１８を吊り下げたＴ形ジブ１９を挿入しておく。そして、支持筒１７にドラム１４を回転可能に取り付け、ドラム１４から索条１５を巻き出して滑車１８を通してその先端をベッドフロア１の端部に係止しておく。
【００１３】
ドラム１４には回動軸２０が突設しており、この回動軸２０にハンドル２１を係合してハンドル２１を回転させることで索条１５を巻出し又は巻戻す。これにより、ベッドフロア１の一側は起昇するが、所定角度起こすとその角度で固定する必要がある。そこで、本例では、ベッドフロア１の上昇は許容するが、下降は規制するラチェット機構２２を設けている。すなわち、ドラム１４にラチェット２３を取り付け、これを支持筒１７等に設けた爪２４で一方向のみに回転できるようにしている。なお、Ｔ形ジブ１９は支持筒１７内で回転できるようにしておき、使用しないときには、ベッドフロア１上から避けておくようにするのが好ましい。
【００１４】
以上の場合、ベッドフロア１の起昇側は横桟４と中心軸６とは固定できないが、非起昇側の横桟４と中心軸６はビス止めや溶接等で固定して剛性の強度を図るのが好ましい。ところで、以上のベッドフロア１の左右への傾斜や前部の起昇は臥寝者がベッドフロア１に寝たままでできるようになっており、左右への傾斜は衣服の取替えや床ずれ防止等における寝返りを補助するためであり、起昇は食事等のときに上半身を起こすためである。
【図面の簡単な説明】
【００１５】
【図１】介護ベッドの平面図である。
【図２】介護ベッドの後面図である。
【図３】介護ベッドの一部側面図である。
【図４】図３のＡ矢視図である。
【符号の説明】
【００１６】
１      ベッドフロア
２      ベッドフレーム
３      枠体
４      横桟
５      ヒンジ機構
５´    蝶番
６      中心軸
７      支持孔
８      回動パイプ
９      操作杆
１０    ロック孔
１１    ブラケット
１２    挿入孔
１３    ピン
１４    ドラム
１５    索条
１６    手動巻上機
１７    支持筒
１８    滑車
１９    Ｔ形ジブ
２０    回動軸
２１    ハンドル
２２    ラチェット機構
２３    ラチェット
２４    爪
【図１】
2009082596.tif 000003
【図２】
2009082596.tif 000004
【図３】
2009082596.tif 000005
【図４】
2009082596.tif 000006